(57)【要約】【課題】本印刷と同じスクリーン処理条件で色変換用パッチ画像を出力する。【解決手段】指定されたスクリーン処理条件に従って測色用パッチ画像データに対応した測色用パッチ画像がカラープリンタ２０によって出力される。次に、カラープリンタ２０から出力された測色用パッチ画像の測色値が求められる。次に、測色値を用いて色変換用処理係数が求められる。そして、色変換用処理係数が、カラープリンタ２０を一意に識別する識別子とスクリーン処理条件とに対応付けてクライアント装置１０に記憶される。【選択図】        図２
2005012532.tif 000002
【特許請求の範囲】
【請求項１】
スクリーン処理条件を指定し、この指定したスクリーン処理条件に従って測色用パッチ画像データに対応した測色用パッチ画像の出力をカラー画像出力装置に行わせる出力ステップと、
前記カラー画像出力装置から出力された測色用パッチ画像の測色値を求める測色ステップと、
前記測色値を用いて色変換用処理係数を求める係数作成ステップと、
前記色変換用処理係数を、前記カラー画像出力装置を一意に識別する識別子と前記スクリーン処理条件とに対応付けて記憶する記憶ステップと、
を有する色変換係数作成方法。
【請求項２】
前記出力ステップにおいては、前記スクリーン処理条件に従って、前記測色用パッチ画像データに対応したＮ値画像データの出力をＲＩＰサーバに行わせ、このＲＩＰサーバから出力されたＮ値画像データに対応した画像の出力を前記カラー画像出力装置に行わせる
ことを特徴とする請求項１に記載の色変換係数作成方法。
【請求項３】
前記Ｎ値画像データは、２値画像データである
ことを特徴とする請求項２に記載の色変換係数作成方法。
【請求項４】
前記カラー画像出力装置は、カラープリンタである
ことを特徴とする請求項１乃至３に記載の色変換係数作成方法。
【請求項５】
前記カラープリンタは、電子写真方式のカラープリンタである
ことを特徴とする請求項４に記載の色変換係数作成方法。
【請求項６】
コンピュータ装置に、
スクリーン処理条件を取得する取得ステップと、
前記スクリーン処理条件と測色用パッチ画像データとをカラー画像出力装置に送信する送信ステップと、
前記スクリーン処理条件に従って前記カラー画像出力装置によって出力された前記測色用パッチ画像データに対応した測色用パッチ画像の測色値を用いて色変換用処理係数を求める係数作成ステップと、
前記色変換用処理係数を、前記カラー画像出力装置を一意に識別する識別子と前記スクリーン処理条件とに対応付けて記憶する記憶ステップと
を実行させるためのプログラム。
【請求項７】
スクリーン処理条件を取得する取得手段と、
前記スクリーン処理条件と測色用パッチ画像データとをカラー画像出力装置に送信する送信手段と、
前記スクリーン処理条件に従って前記カラー画像出力装置によって出力された前記測色用パッチ画像データに対応した測色用パッチ画像の測色値を用いて色変換用処理係数を求める係数作成手段と、
前記色変換用処理係数を、前記カラー画像出力装置を一意に識別する識別子と前記スクリーン処理条件とに対応付けて記憶する記憶手段と
を備えることを特徴とする色変換係数作成装置。
【発明の詳細な説明】
【０００１】
【発明の属する技術分野】
本発明は、ある画像出力装置向けに作成された画像データを出力特性の異なる別の画像出力装置を用いて出力する技術に関する。
【０００２】
【従来の技術】
従来、印刷の色校正の方法としては、製版用に作製されたフィルムを用いる方法が主流であった。しかし、デジタル製版機を用いて画像データから直接製版を行うＣＴＰ（Ｃｏｍｐｕｔｅｒ  ｔｏ  Ｐｌａｔｅ）の普及に伴い、製版用２値画像データを用いて校正刷りを出力して色校正に使用したいという要望が高まった。この要望に応える技術として、ＤＤＣＰ（Ｄｉｒｅｃｔ  Ｄｉｇｉｔａｌ  Ｃｏｌｏｒ  Ｐｒｏｏｆ）があるが、高価な専用機を使用するため、ユーザの経済的負担が重くなるという問題がある。
【０００３】
これに対して、ユーザが既に保有しているカラープリンタに画像データを入力して校正刷りを出力できれば便利である。しかしながら、一般にカラープリンタは、本印刷で使用する印刷機と色の出力特性が異なるため、色校正には適さないとされている。この問題を解決するために、カラープリンタによる出力画像の色調を本印刷の印刷物の色調に一致させるように、カラープリンタに与える画像データを調整する色補正が行われる。具体的には、まず、カラープリンタに測色用パッチの画像データを入力して、測色用パッチの画像を出力させる。次に、分光測光器を用いて、カラープリンタから出力された測色用パッチの側色値を求める。この側色値と印刷機で印刷した測色用パッチの側色値とを比較し、カラープリンタに与えられる画像データに施すべき色変換に使用する色変換用処理係数を求める。この色変換用処理係数を用いて画像データの色変換を行い、色変換後の画像データをカラープリンタに与えることにより、印刷機で印刷したのと同様の色調を持った画像がカラープリンタから出力される。このようにして、カラープリンタで出力した校正刷りを用いた色校正が可能となる。
【０００４】
２値画像データの色補正に関しては、種々の技術が提案されている。特許文献１に記載の技術では、２値画像データを多値化し、色補正等の画像処理を行った後、誤差拡散を施して２値画像データを出力することによって、２値画像データに対する色補正の実現を図っている。特許文献２に記載の技術では、２値画像データにソフトフォーカスフィルタ処理を施して多値化し、当該多値画像データの色補正を行った後、誤差拡散を施して２値画像データを出力する。これによって、網点情報を残したままの色補正の実現を図っている。
【０００５】
【特許文献１】
特許第２８７７３５６号公報
【特許文献２】
国際公開第０２／３０１０３号パンフレット
【０００６】
【発明が解決しようとする課題】
従来、カラープリンタで色変換用パッチ画像を出力する際、カラープリンタ独自のスクリーン処理条件が用いられていた。例えば、本印刷で用いる印刷機がスクリーン線数１９０の刷版を用いて印刷を行うものとする。これに対して、あるカラープリンタが通常時はスクリーン線数１５０でスクリーン処理を行うものとする。このような場合、同じ画像データに対応した画像の出力を行う場合であっても、両者で出力される画像は印刷機とカラープリンタの特性の違いと、スクリーン処理の違いにより異なる色調となる。
ところで、校正刷りを出力するためには、カラープリンタによる出力画像が本印刷と色調が一致するように色変換を行う必要がある。この色変換に用いる色変換用処理係数を求める際、従来は、カラープリンタ独自のスクリーン処理条件で出力された色変換用パッチ画像を用いていた。この場合、本印刷と同じスクリーン処理条件を用いてカラープリンタで出力した画像と色変換用パッチ画像との間には、スクリーン処理条件の違いに起因する色調の違いが生じる。そのため、この色変換用パッチ画像の測色値から作成した色変換用処理係数を用いた場合、本印刷と同じスクリーン処理条件で校正刷りを出力しても、正確な色変換が施された校正刷りを得ることができない。
【０００７】
本発明は上述した事情に鑑みてなされたものであり、本印刷と同じスクリーン処理条件で色変換用パッチ画像を出力することのできる技術の提供を目的とする。
【０００８】
【課題を解決するための手段】
上述の課題を解決するために、本発明は、スクリーン処理条件を指定し、この指定したスクリーン処理条件に従って測色用パッチ画像データに対応した測色用パッチ画像の出力をカラー画像出力装置に行わせる出力ステップと、前記カラー画像出力装置から出力された測色用パッチ画像の測色値を求める測色ステップと、前記測色値を用いて色変換用処理係数を求める係数作成ステップと、前記色変換用処理係数を、前記カラー画像出力装置を一意に識別する識別子と前記スクリーン処理条件とに対応付けて記憶する記憶ステップと、を有する色変換係数作成方法を提供する。
【０００９】
また、本発明は、コンピュータ装置に、スクリーン処理条件を取得する取得ステップと、前記スクリーン処理条件と測色用パッチ画像データとをカラー画像出力装置に送信する送信ステップと、前記スクリーン処理条件に従って前記カラー画像出力装置によって出力された前記測色用パッチ画像データに対応した測色用パッチ画像の測色値を用いて色変換用処理係数を求める係数作成ステップと、前記色変換用処理係数を、前記カラー画像出力装置を一意に識別する識別子と前記スクリーン処理条件とに対応付けて記憶する記憶ステップとを実行させるためのプログラムを提供する。
【００１０】
また、本発明は、スクリーン処理条件を取得する取得手段と、前記スクリーン処理条件と測色用パッチ画像データとをカラー画像出力装置に送信する送信手段と、前記スクリーン処理条件に従って前記カラー画像出力装置によって出力された前記測色用パッチ画像データに対応した測色用パッチ画像の測色値を用いて色変換用処理係数を求める係数作成手段と、前記色変換用処理係数を、前記カラー画像出力装置を一意に識別する識別子と前記スクリーン処理条件とに対応付けて記憶する記憶手段とを備えることを特徴とする色変換係数作成装置を提供する。
【００１１】
本発明によれば、まず、指定されたスクリーン処理条件に従って測色用パッチ画像データに対応した測色用パッチ画像がカラー画像出力装置によって出力される。次に、前記カラー画像出力装置から出力された測色用パッチ画像の測色値が求められる。次に、前記測色値を用いて色変換用処理係数が求められる。そして、前記色変換用処理係数が、前記カラー画像出力装置を一意に識別する識別子と前記スクリーン処理条件とに対応付けて記憶される。
【００１２】
【発明の実施の形態】
以下、図面を参照して、本発明の実施の形態について説明する。
（１．第１実施形態）
（１−１．構成）
図１は、本発明の第１実施形態にかかる構成を示す図である。図１に示す構成では、クライアント装置１０、カラープリンタ２０、ＲＩＰサーバ４０および製版機５０がＬＡＮ（Ｌｏｃａｌ  Ａｒｅａ  Ｎｅｔｗｏｒｋ）２を介して接続されている。
【００１３】
カラープリンタ２０は、電子写真方式の画像出力装置である。カラープリンタ２０は、入力された画像データにスクリーン処理を施して画像を出力する。オペレータが所望のスクリーン処理条件をクライアント装置１０からカラープリンタ２０に送信することによって、処理条件を指定することができる。
【００１４】
ＲＩＰサーバ４０は、Ｐｏｓｔ  Ｓｃｒｉｐｔなどのページ記述言語で記述されたベクトルデータを取得し、ベクトルデータをラスタデータに変換し、スクリーン処理を施して製版用２値画像データを生成する。本実施形態におけるＲＩＰサーバ４０は、解像度２４００ｄｐｉ（ｄｏｔ  ｐｅｒ  ｉｎｃｈ）の製版用２値画像データを生成することができる。また、これ以外の解像度を選択することも可能である。このＲＩＰサーバ４０によって生成される製版用２値画像データは、例えばＴＩＦＦ（Ｔａｇｇｅｄ  Ｉｍａｇｅ  Ｆｉｌｅ  Ｆｏｒｍａｔ）形式の画像データであり、スクリーン処理条件および解像度情報が内包されている。
【００１５】
製版機５０は、校正済みの製版用２値画像データをＲＩＰサーバ４０から受け取り、これに基づいて、直接、版材に露光して刷版を作製するデジタル製版機である。
印刷機６０は、製版機５０により作製された刷版を用いて、多色刷りの印刷を行う。
【００１６】
次にクライアント装置１０の構成について説明する。クライアント装置１０は、通常のハードウェア構成を有するコンピュータであり、ＬＡＮ（Ｌｏｃａｌ  Ａｒｅａ  Ｎｅｔｗｏｒｋ）２経由で他の装置との間でデータの授受を行うことができる。クライアント装置１０の構成を図２に示す。ＣＰＵ（Ｃｅｎｔｒａｌ  Ｐｒｏｃｅｓｓｉｎｇ  Ｕｎｉｔ）３０は、ＲＯＭ（Ｒｅａｄ  Ｏｎｌｙ  Ｍｅｍｏｒｙ）３１に記憶されているプログラムを実行することにより、係数作成手段２４で色変換用処理係数を作成するための制御を行う。ＲＡＭ（Ｒａｎｄｏｍ  Ａｃｃｅｓｓ  Ｍｅｍｏｒｙ）３２は、その際のワークエリアとして使用される。
【００１７】
送受信部３３は、ＣＰＵ３０による制御の下、ＬＡＮ２に接続された他の装置との間でデータの送受信を行う。  記憶部３４は、ハードディスクドライブ等の大容量記憶装置である。記憶部３４には、色変換係数ＤＢ（データベース）２１１が格納されている。表示部３５は、画像データのファイル名や処理条件等の入力を促す画面を表示する。オペレータは、キーボードおよびマウスからなる入力部３６を駆使してデータ入力を行うことができる。
【００１８】
記憶手段２１、取得手段２２、送信手段２３および係数作成手段２４は、色変換用処理係数を作成するためにＣＰＵ３０によって実行されるソフトウェアモジュールである。以下、これらの機能について説明する。
記憶手段２１は、カラープリンタ２０を一意に識別するための識別子とスクリーン処理条件と色変換用処理係数とを対応付けて色変換係数ＤＢ２１１に格納する。色変換用処理係数は、印刷機６０の出力特性に対するカラープリンタ２０の出力特性の差異に基づいて予め求められ、色変換係数ＤＢ２１１に格納されている。色変換用処理係数は、例えば特開２００２−１５２５４３号公報に開示されている方法を用いて作成することができる。
【００１９】
取得手段２２は、オペレータが入力部３６を操作することによって入力されたデータ（カラープリンタ２０を一意に識別する識別子およびスクリーン処理条件）をＣＰＵ３０に供給するモジュールである。また、取得手段２２は、入力された識別子およびスクリーン処理条件と同一の組合せからなるレコードが既に色変換係数ＤＢ２１１に格納されているか否かを判定する。同一の組合せからなるレコードが格納されている場合、カラープリンタ２０と当該スクリーン処理条件に対応する色変換用処理係数が係数作成手段２４によって作成され、色変換係数ＤＢ２１１に格納されていることになる。
【００２０】
送信手段２３は、オペレータによって入力されたスクリーン処理条件と測色用パッチ画像データとを前述の識別子によって識別されるカラープリンタ２０に送信するモジュールである。測色用パッチ画像データは予め記憶手段２１に記憶されている。
なお、以上のモジュールをハードウェアによって構成し、ＣＰＵ３０がこれらのモジュールの制御を行うことにより、校正刷り出力のための処理を進めるようにしてもよい。
【００２１】
（１−２．動作）
上記の構成によって実現される動作について説明する。
最初にオペレータは、色変換用処理係数を作成するためのプログラムを実行するための指示をクライアント装置１０に入力する。この指示が入力されると、ＣＰＵ３０は図３にフローを示すプログラムを実行する。
まず、ＣＰＵ３０は、測色用パッチ画像データ、測色用パッチ画像データに施すスクリーン処理の条件および測色用パッチ画像を出力するカラープリンタ２０の識別子をクライアント装置１０に入力する。このスクリーン処理条件は、ＲＩＰサーバ４０で実行可能な処理条件でなければならない。測色用パッチ画像データは、予め記憶部３４に格納されている。測色用パッチ画像データは、Ｐｏｓｔ  Ｓｃｒｉｐｔなどのページ記述言語で記述されたベクトルデータであってもよいし、ＴＩＦＦ（Ｔａｇｇｅｄ  Ｉｍａｇｅ  Ｆｉｌｅ  Ｆｏｒｍａｔ）形式のラスタデータであってもよい。スクリーン条件は、スクリーンタイプ、スクリーン線数、スクリーン角度、スポット形状およびスクリーンファミリから構成される。
【００２２】
上記の入力が完了すると、ＣＰＵ３０はカラープリンタ２０の識別子とスクリーン処理条件とを取得手段２２に引き渡す（ステップＳ１１）。取得手段２２は、ＣＰＵ３０が、入力されたのと同一の識別子およびスクリーン処理条件の組合せからなるレコードが既に色変換係数ＤＢ２１１に格納されているか否かを判定する（ステップＳ１２）。
【００２３】
同一の組合せからなるレコードが色変換係数ＤＢ２１１に格納されていると判定された場合には、同一の組合せからなるレコードが色変換係数ＤＢ２１１に格納されていることを通知するメッセージを表示部３５に表示する（ステップＳ１３）。また、このとき表示部３５には、色変換用処理係数を再作成するか否かの選択を促す選択ボタンが表示される（ステップＳ１４）。オペレータは「再作成する」／「再作成しない」のいずれかのボタンをマウス（入力部３６）を用いて選択する。「再作成しない」が選択された場合には、ＣＰＵ３０はプログラムの実行を終了する。「再作成する」が選択された場合には、ステップＳ１５に進む。なお、色変換用処理係数の再作成は、次のような場合に必要になる。まず、新品のトナーを使用した場合と製造後数年を経たトナーを使用した場合とでは、トナーの経年変化の影響により、出力画像の色調が異なることがある。また、部品の磨耗などによるカラープリンタ２０の性能低下の影響により、出力画像の色調が新品当時と異なる場合もある。このような場合、トナーやカラープリンタが新品のときに作成した色変換用処理係数を用いても、所望の色調が得られないことになる。そこで、上述のように、色変換用処理係数を再作成することが必要となるのである。
【００２４】
一方、ステップＳ１２で、同一の組合せからなるレコードが色変換係数ＤＢ２１１に格納されていないと判定された場合には、ＣＰＵ３０は測色用パッチ画像データとスクリーン処理条件とプリンタ識別子とを送信手段２３に引き渡す。
送信手段２３は、測色用パッチ画像データとスクリーン処理条件とをプリンタ識別子により識別されるカラープリンタ２０へ送信する（ステップＳ１５）。続いて、クライアント装置１０の表示部３５には、測色用パッチ画像の測色値を入力することを促す画面が表示され、入力待ちの状態となる。
【００２５】
測色用パッチ画像データとスクリーン処理条件がカラープリンタ２０へ供給されると、カラープリンタ２０は、このスクリーン処理条件に従って測色用パッチ画像データにスクリーン処理を行い、測色用パッチ画像を出力する。オペレータは、分光測光器を用いて、測色用パッチ画像の測色値を求め、この測色値をクライアント装置１０に入力する。
【００２６】
クライアント装置１０に測色値が入力されると、ＣＰＵ３０は測色値を係数作成手段２４に引き渡す（ステップＳ１６）。係数作成手段２４は、この測色値を用いて色変換用処理係数を作成する。記憶手段２１は、作成された色変換用処理係数とカラープリンタ２０の識別子とスクリーン処理条件とを対応付けて、色変換係数ＤＢ２１１に格納する（ステップＳ１７）。
【００２７】
本実施形態によれば、作成された色変換用処理係数をカラープリンタ２０に読み込ませることによって、印刷機６０と同一の色調を有する校正刷りを得ることが可能となる。
また、作成された色変換用処理係数をカラープリンタの識別子およびスクリーン処理条件と対応付けて記憶させておくことにより、カラープリンタとスクリーン処理条件の組合せに応じた色変換用処理係数を校正刷りの際に使用することが可能となる。
【００２８】
（２．第２実施形態）
（２−１．構成）
本実施形態の第１実施形態と異なる点は以下のとおりである。
送信手段２３は、測色用パッチ画像データとスクリーン処理条件とカラープリンタ２０のプリンタ識別子とをＲＩＰサーバ４０に送信する。また、送信手段２３は、ＲＩＰサーバ４０が生成したＮ値画像データをこのプリンタ識別子で識別されるカラープリンタ２０に転送することを指示するメッセージをＲＩＰサーバ４０に送信する。
【００２９】
（２−２．動作）
図４は、クライアント装置１０によって実行されるプログラムのフロー図である。第１実施形態におけるプログラムとの違いはステップＳ１５に代えてステップＳ２１がある点である。以下、ステップＳ２１で行われる動作について説明する。
【００３０】
ＣＰＵ３０が、測色用パッチ画像データとスクリーン処理条件とカラープリンタ２０の識別子とをＲＩＰサーバ４０へ送信する。さらに、ＲＩＰサーバ４０が生成したＮ値画像データをこの識別子で識別されるカラープリンタ２０に転送することを指示するメッセージをＲＩＰサーバ４０へ送信する。続いて、クライアント装置１０の表示部３５には、測色用パッチ画像の測色値を入力することを促す画面が表示され、入力待ちの状態となる。以上がステップＳ２１で行われる動作である。
【００３１】
クライアント装置１０から測色用パッチ画像データ、スクリーン処理条件およびカラープリンタ２０の識別子を受け取ったＲＩＰサーバ４０は、このスクリーン処理条件に従って測色用パッチ画像データにスクリーン処理を施し、Ｎ値画像データを生成する。ここでＮ値画像データは２値画像データであってもよいし、３値以上の画像データであってもよい。そして、ＲＩＰサーバ４０は、識別子によって識別されるカラープリンタ２０にＮ値画像データを転送する。ＲＩＰサーバ４０からＮ値画像データを受け取ったカラープリンタ２０は、Ｎ値画像データに基づく測色用パッチ画像を出力する。オペレータは、分光測光器を用いて、測色用パッチ画像の測色値を求め、この測色値をクライアント装置１０に入力する。これに続いて、第１実施形態におけるステップＳ１６以降の動作が行われる。
【００３２】
本実施形態によれば、題１実施形態と同様の効果が奏される。
【００３３】
（３．第３実施形態）
（３−１．構成）
本実施形態の第１実施形態と異なる点は以下のとおりである。
送信手段２３は、測色用パッチ画像データとスクリーン処理条件とをＲＩＰサーバ４０に送信する。また、送信手段２３は、ＲＩＰサーバ４０が生成したＮ値画像データをクライアント装置１０に送信することを指示するメッセージをＲＩＰサーバ４０に送信する。また、送信手段１０は、クライアント装置１０に転送されたＮ値画像データをカラープリンタ２０に転送する。
【００３４】
（３−２．動作）
図５は、クライアント装置１０によって実行されるプログラムのフロー図である。第１実施形態におけるプログラムとの違いはステップＳ１５に代えてステップＳ３１およびステップＳ３２がある点である。以下、ステップＳ３１およびステップＳ３２で行われる動作について説明する。
ＣＰＵ３０が、測色用パッチ画像データとスクリーン処理条件とをＲＩＰサーバ４０へ送信する。さらに、ＲＩＰサーバ４０が生成したＮ値画像データをクライアント装置１０に送信することを指示するメッセージをＲＩＰサーバ４０へ送信する。続いて、クライアント装置１０の表示部３５には、測色用パッチ画像の測色値を入力することを促す画面が表示され、入力待ちの状態となる。以上がステップＳ３１で行われる動作である。
【００３５】
クライアント装置１０から測色用パッチ画像データおよびスクリーン処理条件を受け取ったＲＩＰサーバ４０は、このスクリーン処理条件に従って測色用パッチ画像データにスクリーン処理を施し、Ｎ値画像データを生成する。ここでＮ値画像データは２値画像データであってもよいし、３値以上の画像データであってもよい。そして、ＲＩＰサーバ４０は、クライアント装置１０にＮ値画像データを送信する。ＲＩＰサーバ４０からＮ値画像データを受け取ったクライアント装置１０は、Ｎ地画像データをカラープリンタ２０へ転送する（ステップＳ３２）。クライアント装置１０からＮ値画像データを受け取ったカラープリンタ２０は、Ｎ値画像データに基づく測色用パッチ画像を出力する。オペレータは、分光測光器を用いて、測色用パッチ画像の測色値を求め、この測色値をクライアント装置１０に入力する。これに続いて、第１実施形態におけるステップＳ１６以降の動作が行われる。
【００３６】
本実施形態によれば、題１実施形態と同様の効果が奏される。
【００３７】
（４．変形例）
以上説明した形態に限らず、本発明は種々の形態で実施可能である。例えば、上述の実施形態を以下のように変形した形態でも実施可能である。
【００３８】
ＲＩＰサーバおよびカラープリンタで実行可能なスクリーン処理条件のデータベースをクライアント装置に格納させておき、実行可能でないスクリーン処理条件が入力されたときに表示部３５に警告のメッセージを表示してオペレータに通知するように本発明を変形してもよい。また、ＲＩＰサーバおよびカラープリンタで実行可能なスクリーン処理条件をオペレータが入力画面上で選択できるようにしてもよい。また、ＲＩＰサーバおよびカラープリンタで実行可能なスクリーン処理条件は、ＲＩＰサーバおよびカラープリンタとの通信により取得するようにしてもよい。
【００３９】
クライアント装置からＬＡＮを介してＲＩＰサーバにアクセスし、カラープリンタ毎に設けられたフォルダに測色用パッチ画像データとスクリーン処理条件とを書き込み、この測色用パッチ画像データとスクリーン処理条件とに基づいて生成されたＮ値画像データをこのフォルダに対応付けられたカラープリンタに転送させるように本発明を変形してもよい。
【００４０】
クライアント装置が実行する処理の手順を記述したプログラムを外部のサーバに記憶させておき、インターネット等の通信網経由で外部のサーバからダウンロードするように本発明を変形してもよい。
【００４１】
カラープリンタは、電子写真方式以外の例えばインクジェット式カラープリンタを用いるように本発明を変形してもよい。
【００４２】
複数のカラープリンタで同一の色調の画像を出力することを目的として、印刷機以外の他のカラープリンタの出力画像を基準として色変換用処理係数を求めるように本発明を変形してもよい。
【００４３】
【発明の効果】
本発明によれば、スクリーン処理条件が異なることによる影響を受けない色変換用パッチ画像を出力することができる。
【図面の簡単な説明】
【図１】本発明の第１実施形態にかかる構成を示す図である。
【図２】同実施形態にかかるクライアント装置１０の構成を示す図である。
【図３】同実施形態にかかるクライアント装置１０により実行されるプログラムのフロー図である。
【図４】本発明の第２実施形態にかかるクライアント装置１０により実行されるプログラムのフロー図である。
【図５】本発明の第３実施形態にかかるクライアント装置１０により実行されるプログラムのフロー図である。
【符号の説明】
２…ＬＡＮ、１０…クライアント装置，２０…カラープリンタ、４０…ＲＩＰサーバ、５０…製版機、６０…印刷機、２１…記憶手段、２２…取得手段、２３…送信手段、２４…係数作成手段、３０…ＣＰＵ、３１…ＲＯＭ、３２…ＲＡＭ、３３…送受信部、３４…記憶部、３５…表示部、３６…入力部
【図１】
2005012532.tif 000003
【図２】
2005012532.tif 000004
【図３】
2005012532.tif 000005
【図４】
2005012532.tif 000006
【図５】
2005012532.tif 000007